(57)【要約】【課題】トラス構造物である橋体の自立性を保持しながら最小限の設備で部材の取り替えまたは架け替えを行うことのできるトラス構造物の部材取替方法及び架替方法を提供する。【解決手段】上弦材１と下弦材２との間に仮弦材７を取り付けるとともに、仮弦材７と上弦材１とを複数の仮斜材８で連結して仮トラスを形成し、下弦材２及びこれに連結する斜材４の下端側を取り除いて新たな下弦材及び新たな斜材の下端側を取り付けるようにしたので、仮トラスによってトラス形状を保持したまま下弦材２及び斜材４の下端側を取り外すことができ、トラス構造物である橋体の自立性を保持しながら最小限の設備で部材を取り替えることができる。【選択図】図３
2019178607.tif 000002
【特許請求の範囲】
【請求項１】
複数のトラス部材を連結してなる橋体から既設のトラス部材を取り外して新たなトラス部材に取り替えるトラス橋の部材取替方法において、
前記橋体に仮トラス部材を取り付け、
仮トラス部材と一部のトラス部材によって仮トラスを形成し、
仮トラスによってトラス形状を保持したまま他のトラス部材を取り除いて新たなトラス部材を取り付ける
ことを特徴とするトラス橋の部材取替方法。
【請求項２】
複数のトラス部材を連結してなる橋体から既設のトラス部材を取り外して新たなトラス部材に取り替えるトラス橋の部材取替方法において、
両端を支承によって支持された状態の橋体に仮トラス部材を取り付け、
仮トラス部材と一部のトラス部材によって仮トラスを形成し、
仮トラスによってトラス形状を支承上で保持したまま他のトラス部材を取り除いて新たなトラス部材を取り付ける
ことを特徴とするトラス橋の部材取替方法。
【請求項３】
請求項１または２記載のトラス橋の部材取替方法を用い、すべての既設のトラス部材を新たなトラス部材に取り替えることによって橋体を架け替える
ことを特徴とするトラス橋の架替方法。
【発明の詳細な説明】
【技術分野】
【０００１】
本発明は、既設のトラス橋から老朽化した部材を取り外して新たな部材に取り替えるためのトラス橋の部材取替方法及び架替方法に関するものである。
【背景技術】
【０００２】
従来、道路橋、鉄道橋、水管橋等に用いられるトラス橋としては、上弦材と下弦材とを複数の斜材で連結してなるトラス構造を用いたものが知られており、例えば、斜材の向きを交互にしたワーレントラス、斜材をＸ字形に交差させたダブルワーレントラス等が一般的である。また、各斜材の負荷を軽減するために鉛直材を追加したタイプもある。
【０００３】
ところで、トラス橋においては、完成してから長期間が経過すると、鋼材の腐食等によりトラス部材が老朽化し、橋体の架け替えや部材の取り替えが必要になる。
【０００４】
橋体を架け替える方法の一つとしては、ベント等の仮受設備で橋体を下方から支持し、トラス部材を一部ずつ撤去して新たな部材と取り替える工法がある。また、他の方法としては、ケーブル等の仮吊設備で橋体を上方から吊りながら保持し、トラス部材を一部ずつ撤去して新たな部材と取り替える工法がある。更に、橋体の全体をクレーンで一括撤去し、ヤードにて分解・部材交換を行う工法もある。また、トラスを構成する各部材を単体で取り外して個別に交換する工法も知られている（例えば、特許文献１参照）。この工法は、取り替えるべき部材の格点間を締上工具により締め上げることにより、部材に作用する圧縮力または引張力を減じてピンを外しやすくするようにしたものである。
【先行技術文献】
【特許文献】
【０００５】
【特許文献１】特開２００６−３３６３７１号公報
【発明の概要】
【発明が解決しようとする課題】
【０００６】
しかしながら、前述のように、ベント等の仮受設備で橋体を下方から支持しながらトラス部材を撤去する工法では、施工期間中、ベント等の仮受設備が桁下に常時設置されるため、桁下が長期間に亘って占有されるという問題がある。特に、河川上では施工時期が渇水期に限られるとともに、不測の増水により仮受設備や橋体が倒壊するおそれもある。
【０００７】
また、ケーブル等の仮吊設備で橋体を上方から吊りながらトラス部材を撤去する工法では、ケーブルを設置するための鉄塔やアンカーが必要になり、設備が大掛かりになるとともに、部材の撤去に伴いケーブルの吊り荷重が変化するため、施工中における橋体の形状管理が複雑になるという問題がある。
【０００８】
更に、橋体の全体をクレーンで一括撤去する工法では、大型のクレーンを使用するため、クレーンの設置場所に広大な敷地を確保しなければならず、使用クレーンに応じた地盤改良工事も必要になる。この場合、橋体の全体をクレーンで吊り下げる際のトラスの歪みを防止するために吊天秤を用いて応力を分散する必要があり、撤去に用いる機材が多くなるという問題もある。
【０００９】
また、トラスを構成する各部材を単体で取り外して個別に交換する工法では、格点のピンを外すと同じピンに連結されていた他の部材もすべて外れてしまうため、トラス形状による橋体の自立性を保持できなくなり、一つの格点に多くの部材がピン結合するトラス橋においては施工ができないという問題がある。しかも、各部材の格点間ごとに締め上げ作業を行うため、交換する部材が多い場合は締上工具の段取り替え作業が多くなり、作業効率を著しく低下させることになる。更に、橋梁（トラス橋）の場合は、圧縮部材の取り替えが困難である。
【００１０】
また、部材を取り外す際に、トラスの格点に連結された他の部材を補強板等によって固定するようにすれば、トラス形状を保持しながら部材の交換を行うことができるが、この場合は格点が剛結になり、トラス部材に過度な曲げ応力やせん断力が生ずるという問題がある。
【００１１】
本発明は前記問題点に鑑みてなされたものであり、その目的とするところは、トラス構造物である橋体の自立性を保持しながら最小限の設備で部材の取り替えまたは架け替えのできるトラス橋の部材取替方法及び架替方法を提供することにある。
【課題を解決するための手段】
【００１２】
本発明は前記目的を達成するために、複数のトラス部材を連結してなる橋体から既設のトラス部材を取り外して新たなトラス部材に取り替えるトラス橋の部材取替方法において、前記橋体に仮トラス部材を取り付け、仮トラス部材と一部のトラス部材によって仮トラスを形成し、仮トラスによってトラス形状を保持したまま他のトラス部材を取り除いて新たなトラス部材を取り付けるようにしている。
【００１３】
また、本発明は前記目的を達成するために、複数のトラス部材を連結してなる橋体から既設のトラス部材を取り外して新たなトラス部材に取り替えるトラス橋の部材取替方法において、両端を支承によって支持された状態の橋体に仮トラス部材を取り付け、仮トラス部材と一部のトラス部材によって仮トラスを形成し、仮トラスによってトラス形状を支承上で保持したまま他のトラス部材を取り除いて新たなトラス部材を取り付けるようにしている。
【００１４】
これにより、仮トラス部材と一部のトラス部材によって仮トラスが形成されるとともに、仮トラスによってトラス形状を保持した状態で他のトラス部材が取り除かれることから、トラス構造物である橋体の自立性が保持される。
【発明の効果】
【００１５】
本発明によれば、仮トラスによってトラス形状を保持したまま他のトラス部材を取り外すことができるので、トラス構造物である橋体の自立性を保持しながら最小限の設備で部材の取り替えまたは架け替えを行うことができる。
【図面の簡単な説明】
【００１６】
【図１】本発明の第１の実施形態を示すトラス橋の一部側面図
【図２】部材取替工程を示す側面図
【図３】部材取替工程を示す側面図
【図４】部材取替工程を示す側面図
【図５】部材取替工程を示す側面図
【図６】部材取替工程を示す側面図
【図７】部材取替工程を示す側面図
【図８】部材取替工程を示す側面図
【図９】部材取替工程を示す側面図
【図１０】部材取替工程を示す側面図
【図１１】第１の実施形態の変形例を示す側面図
【図１２】本発明の第２の実施形態に係る部材取替工程を示す側面図
【図１３】部材取替工程を示す側面図
【図１４】部材取替工程を示す側面図
【図１５】部材取替工程を示す側面図
【図１６】部材取替工程を示す側面図
【図１７】部材取替工程を示す側面図
【図１８】本発明の第３の実施形態に係る部材取替工程を示す側面図
【図１９】部材取替工程を示す側面図
【図２０】部材取替工程を示す側面図
【図２１】部材取替工程を示す側面図
【図２２】部材取替工程を示す側面図
【図２３】部材取替工程を示す側面図
【図２４】部材取替工程を示す側面図
【図２５】部材取替工程を示す側面図
【図２６】部材取替工程を示す側面図
【図２７】部材取替工程を示す側面図
【図２８】部材取替工程を示す側面図
【図２９】部材取替工程を示す側面図
【発明を実施するための形態】
【００１７】
図１乃至図１０は本発明の第１の実施形態を示すもので、既設のトラス橋から老朽化した部材を取り外して新たな部材に取り替えるためのトラス橋の部材取替方法を示すものである。
【００１８】
同図に示すトラス橋は、橋体の上方に配置される一方の弦材としての上弦材１と、橋体の下方に配置される他方の弦材としての下弦材２と、上弦材１と下弦材２とを連結する複数の鉛直材３と、上弦材１と下弦材２とを連結する複数の斜材４とからなり、これらの部材はトラス部材を構成し、互いに格点をピン結合されている。尚、図１に示すトラス橋は部材を取り替える前のもので、床版、横桁、縦桁は図示を省略する。
【００１９】
上弦材１は、橋軸方向一端から他端に亘って延びる鋼材からなり、上方に反ったアーチ状に形成されている。
【００２０】
下弦材２は、橋軸方向一端から他端に亘って延びる鋼材からなり、水平方向に一直線状に形成されている。
【００２１】
各鉛直材３は、上弦材１から下弦材２に亘って鉛直方向に延びる鋼材からなり、互いに橋軸方向に間隔をおいて配置されている。橋軸方向両端の鉛直材３は、それぞれ支承５を介して橋台６に支持されている。
【００２２】
各斜材４は、上弦材１から下弦材２に亘って斜めに延びる鋼材からなり、橋軸方向中央側の一部の鉛直材３間には斜材４がＸ状に２本ずつ交差するように設けられ、橋軸方向両端側の他の鉛直材３間には斜材４が１本ずつ設けられている。また、各斜材４は、上下に分割された二本の部材を連結部材４ａによって連結することにより一本の斜材４を形成している。
【００２３】
次に、本実施形態の部材取替方法について、図２乃至図１０を参照して説明する。尚、同図においては取り替え前の既設部材を黒塗りで示し、取り替え後の部材及び取り替えない部材は白塗りで示す。また、本実施形態の部材取替方法には、仮トラス部材としての仮弦材７及び複数の仮斜材８が用いられる。
【００２４】
仮弦材７は、橋軸方向一端から他端に亘って延びる一直線状の鋼材からなり、各鉛直材３にボルトによって着脱可能に連結されるようになっている。
【００２５】
各仮斜材８は、例えば周知のターンバックル等、長さを調整可能な部材からなり、一端を仮弦材７に着脱可能に連結され、他端を上弦材１または下弦材２に着脱可能に連結されるようになっている。
【００２６】
本実施形態では、トラス部材のうち鉛直材３は他の部材に比べて劣化が進んでいない場合があることから、上弦材１、下弦材２及び各斜材４のみを取り替え、各鉛直材３は取り替えずにそのまま使用する例を示す。
【００２７】
まず、図２に示すように、既設の橋体から床版、横桁、縦桁を取り外し、図３に示すように上弦材１と下弦材２との間に仮弦材７を取り付ける。この場合、仮弦材７は各鉛直材３の下端側（下弦材２寄り）に配置する。次に、上弦材１と仮弦材７とを複数の仮斜材８で連結する。この場合、各仮斜材８は、一端を仮弦材７と鉛直材３との連結点に連結され、他端を上弦材１と斜材４との連結点に連結される。これにより、上弦材１、仮弦材７、各鉛直材３及び各仮斜材８によって仮トラスが形成される。
【００２８】
次に、図４に示すように、各斜材４の連結部材４ａを外して各斜材４の下端側を取り除くとともに、下弦材２を各鉛直材３から取り外す。その際、上弦材１、仮弦材７、各鉛直材３及び各仮斜材８によって仮トラスが形成されているので、下弦材２及び各斜材４の下端側を取り外してもトラス形状が保持される。
【００２９】
続いて、図５に示すように各鉛直材３に新たな下弦材２０を取り付け、新たな下弦材２０に新たな斜材４０の下端側を連結するとともに、新たな斜材４０の下端側を既設の斜材４の上端側に連結した後、図６に示すように仮弦材７及び各仮斜材８を取り外す。
【００３０】
次に、図７に示すように各鉛直材３の上端側（上弦材１寄り）に仮弦材７を取り付けるとともに、新たな下弦材２０と仮弦材７とを複数の仮斜材８で連結する。この場合、各仮斜材８は、一端を仮弦材７と鉛直材３との連結点に連結され、他端を下弦材２０と斜材４０の下端側との連結点に連結される。これにより、下弦材２０、仮弦材７、各鉛直材３及び各仮斜材８によって仮トラスが形成される。
【００３１】
続いて、図８に示すように、各斜材４の上端側及び上弦材１を取り外す。その際、下弦材２０、仮弦材７、各鉛直材３及び各仮斜材８によって仮トラスが形成されているので、上弦材１及び各斜材４の上端側を取り外してもトラス形状が保持される。
【００３２】
そして、図９に示すように各鉛直材３に新たな上弦材１０を取り付け、新たな上弦材１０に新たな斜材４０の上端側を連結するとともに、新たな斜材４０の上端側を斜材４０の下端側に連結する。この後、図１０に示すように仮弦材７及び各仮斜材８を取り外すことにより、本実施形態の部材取替工程が完了する。
【００３３】
このように、本実施形態によれば、上弦材１と下弦材２との間に仮弦材７を取り付けるとともに、仮弦材７と上弦材１とを複数の仮斜材８で連結して仮トラスを形成し、下弦材２及びこれに連結する斜材４の下端側を取り除いて新たな下弦材２０及び新たな斜材４０の下端側を取り付けるようにしたので、仮トラスによってトラス形状を保持したまま下弦材２及び斜材４の下端側を取り外すことができ、トラス構造物である橋体の自立性を保持しながら最小限の設備で部材を取り替えることができる。
【００３４】
また、下弦材２及び斜材４の下端側を新たな下弦材２０及び新たな斜材４０の下端側に取り替えた後、仮弦材７と新たな下弦材２０とを複数の仮斜材８で連結して他の仮トラスを形成し、上弦材１及びこれに連結する斜材４の上端側を新たな上弦材１０及び新たな斜材４０の上端側に取り替えるようにしたので、下弦材２のみならず上弦材１及び各斜材４も新たな部材に取り替えることができ、既設の各鉛直材３をそのまま残す取替施工を容易に行うことができる。
【００３５】
この場合、仮弦材７、下弦材２及び各仮斜材８によって仮トラスを形成する際に仮弦材７を下弦材２寄りに配置し、仮弦材７、新たな下弦材２０及び各仮斜材８によって他の仮トラスを形成する際に仮弦材７を上弦材１寄りに配置するようにしたので、各仮トラスをそれぞれ上下方向に大きくすることができ、各仮トラスの強度を十分に確保することができる。
【００３６】
また、前記仮トラスを形成する仮弦材７に軸力を付与することにより、下弦材２に生じている軸方向の引張力または圧縮力を減じた状態で下弦材２を取り外すようにすれば、格点のピンを抜きやすくすることができ、下弦材２の取り外し作業を容易に行うことができる。即ち、図１１に示すように、仮弦材７にジャッキ等からなる複数の軸力付与装置７ａを設け、各軸力付与装置７ａによって下弦材２の各格点間に応力の向きと反対方向の引張力または圧縮力を付与する。この場合、仮弦材７は下弦材２寄りに配置されているので、各軸力付与装置７ａの軸力が仮弦材７から各鉛直材３を介して下弦材２に確実に伝達される。また、仮弦材７は各軸力付与装置７ａで長手方向に分割されており、各鉛直材３との連結点の間で長手方向に伸縮できるようになっている。尚、図１１では仮弦材７に軸力を付与するようにしたものを示したが、仮斜材８に軸力を付与するようにしてもよい。
【００３７】
図１２乃至図１７は本発明の第２の実施形態を示すもので、下弦材２を取り替えた後、仮弦材７を同じ位置に取り付けたまま上弦材１を取り替えるようにしたものである。尚、第１の実施形態と同等の構成部分には同一の符号を付して示す。また、取り替え前の既設部材を黒塗りで示し、取り替え後の部材及び取り替えない部材は白塗りで示す。
【００３８】
まず、図１２に示すように上弦材１と下弦材２との間に仮弦材７を取り付ける。この場合、仮弦材７は上弦材１と下弦材２の中間位置に配置する。次に、上弦材１と仮弦材７とを複数の仮斜材８で連結する。この場合、各仮斜材８は、一端を仮弦材７と鉛直材３との連結点に連結され、他端を上弦材１と斜材４との連結点に連結される。これにより、上弦材１、仮弦材７、各鉛直材３及び各仮斜材８によって仮トラスが形成される。
【００３９】
次に、図１３に示すように、各斜材４の連結部材４ａを外して各斜材４の下端側を取り除いた後、下弦材２を各鉛直材３から取り外す。その際、上弦材１、仮弦材７、各鉛直材３及び各仮斜材８によって仮トラスが形成されているので、下弦材２及び各斜材４の下端側を取り外してもトラス形状が保持される。
【００４０】
続いて、図１４に示すように各鉛直材３に新たな下弦材２０を取り付け、新たな下弦材２０に新たな斜材４０の下端側を連結するとともに、新たな斜材４０の下端側を既設の斜材４の上端側に連結した後、図１５に示すように仮弦材７を同じ位置に取り付けたまま各仮斜材８を取り外す。
【００４１】
次に、新たな下弦材２０と仮弦材７とを複数の仮斜材８で連結する。この場合、各仮斜材８は、一端を仮弦材７と鉛直材３との連結点に連結され、他端を下弦材２０と斜材４０の下端側との連結点に連結される。これにより、下弦材２０、仮弦材７、各鉛直材３及び各仮斜材８によって仮トラスが形成される。
【００４２】
続いて、図１６に示すように、各斜材４の上端側及び上弦材１を取り外す。その際、下弦材２０、仮弦材７、各鉛直材３及び各仮斜材８によって仮トラスが形成されているので、上弦材１及び各斜材４の上端側を取り外してもトラス形状が保持される。
【００４３】
そして、図１７に示すように各鉛直材３に新たな上弦材１０を取り付け、新たな上弦材１０に新たな斜材４０の上端側を連結するとともに、新たな斜材４０の上端側を斜材４０の下端側に連結する。この後、仮弦材７及び各仮斜材８を取り外すことにより、本実施形態の部材取替工程が完了する。
【００４４】
このように、本実施形態によれば、仮弦材７、上弦材１及び各仮斜材８によって仮トラスを形成する際に仮弦材７を上弦材１と下弦材２の中間に配置し、仮弦材７を上弦材１と下弦材２の中間に配置したまま仮弦材７、新たな下弦材２及び各仮斜材８によって他の仮トラスを形成するようにしたので、下弦材２を取り替えた後、仮弦材７を一旦取り外すことなく上弦材１の取り替えを行うことができるので、仮弦材７の着脱に要する工数を少なくすることができ、作業効率の向上を図ることができる。
【００４５】
図１８乃至図２９は本発明の第３の実施形態を示すもので、上弦材１、下弦材２、各鉛直材３及び各斜材４のすべての部材を取り替えることにより、橋体を架け替えるようにしたものである。尚、第１の実施形態と同等の構成部分には同一の符号を付して示す。また、取り替え前の既設部材を黒塗りで示し、取り替え後の部材及び取り替えない部材は白塗りで示す。
【００４６】
まず、図１８に示すように、既設の橋体から床版、横桁、縦桁を取り外し、図１９に示すように上弦材１と下弦材２との間に仮弦材７を取り付ける。この場合、仮弦材７は上弦材１と下弦材２の中間位置からやや下弦材２寄りに配置する。次に、上弦材１と仮弦材７とを複数の仮斜材８で連結する。この場合、各仮斜材８は、一端を仮弦材７と鉛直材３との連結点に連結され、他端を上弦材１と斜材４との連結点に連結される。これにより、上弦材１、仮弦材７、各鉛直材３及び各仮斜材８によって仮トラスが形成される。
【００４７】
次に、図２０に示すように、各斜材４の連結部材４ａを外して各斜材４の下端側を取り除くとともに、橋体の両端にそれぞれ位置する鉛直材３以外の鉛直材３の下端側を切断して取り除き、下弦材２を両端の鉛直材３から取り外す。その際、上弦材１、仮弦材７、各鉛直材３及び各仮斜材８によって仮トラスが形成されているので、下弦材２、両端以外の鉛直材３の下端側及び各斜材４の下端側を取り外してもトラス形状が保持される。
【００４８】
続いて、図２１に示すように両端以外の鉛直材３の上端側に新たな鉛直材３０の下端側を連結するとともに、各鉛直材３，３０に新たな下弦材２０を取り付ける。更に、新たな下弦材２０に新たな斜材４０の下端側を連結するとともに、新たな斜材４０の下端側を既設の斜材４の上端側に連結した後、図２２に示すように仮弦材７及び各仮斜材８を取り外す。
【００４９】
次に、図２３に示すように各鉛直材３及び新たな鉛直材３０の上端側に仮弦材７を取り付けるとともに、新たな下弦材２０と仮弦材７とを複数の仮斜材８で連結する。この場合、各仮斜材８は、一端を仮弦材７と鉛直材３との連結点に連結され、他端を下弦材２０と斜材４０の下端側との連結点に連結される。これにより、下弦材２０、仮弦材７、各鉛直材３，３０及び各仮斜材８によって仮トラスが形成される。
【００５０】
続いて、図２４に示すように、両端以外の鉛直材３の上端側、各斜材４の上端側及び上弦材１を取り外す。その際、下弦材２０、仮弦材７、各鉛直材３及び各仮斜材８によって仮トラスが形成されているので、上弦材１及び各斜材４の上端側を取り外してもトラス形状が保持される。
【００５１】
次に、図２５に示すように両端以外の鉛直材３の下端側に新たな鉛直材３０の上端側を連結するとともに、各鉛直材３，３０に新たな上弦材１０を取り付ける。更に、新たな上弦材１０に新たな斜材４０の上端側を連結するとともに、新たな斜材４０の上端側を斜材４０の下端側に連結する。この後、図２６に示すように仮弦材７及び各仮斜材８を取り外す。
【００５２】
この後、図２７に示すように橋体全体をジャッキやクレーン等によって持ち上げ、図２８に示すように両端の鉛直材３を新たな鉛直材３０に取り替えるとともに、各支承５を新たな支承５０に取り替えた後、図２９に示すように橋体全体を支承５０に降ろすことにより、本実施形態の部材取替工程が完了する。
【００５３】
このように、本実施形態によれば、両端以外の鉛直材３の下端側を下弦材２とともに取り除いて新たな鉛直材３０の下端側に取り替えるとともに、両端以外の鉛直材３の上端側を上弦材１とともに取り除いて新たな鉛直材３０の上端側に取り替え、橋体全体を持ち上げて両端の鉛直材３を新たな鉛直材３０に取り替えるようにしたので、上弦材１、下弦材２、各鉛直材３及び各斜材４のすべての部材を取り替えることができ、橋体を完全に新しくすることができる。
【００５４】
尚、前記各実施形態では、各斜材４の連結部材４ａを外して斜材４の上端側から下端側を取り除くようにしたものを示したが、斜材が連結部材で連結されていない一本の部材からなる場合は、第３の実施形態の両端以外の鉛直材３と同様、斜材の下端側を切断して取り除くようにすればよい。
【００５５】
また、本発明は、上弦材１のみ、または下弦材２のみを新たな部材に取り替える場合にも適用することができる。
【符号の説明】
【００５６】
１…上弦材、２…下弦材、３…鉛直材３、４…斜材、５…支承、６…橋台、７…仮弦材、７ａ…軸力付与装置、８…仮斜材、１０…上弦材、２０…下弦材、３０…鉛直材３、４０…斜材、５０…支承。
【図１】
2019178607.tif 000003
【図２】
2019178607.tif 000004
【図３】
2019178607.tif 000005
【図４】
2019178607.tif 000006
【図５】
2019178607.tif 000007
【図６】
2019178607.tif 000008
【図７】
2019178607.tif 000009
【図８】
2019178607.tif 000010
【図９】
2019178607.tif 000011
【図１０】
2019178607.tif 000012
【図１１】
2019178607.tif 000013
【図１２】
2019178607.tif 000014
【図１３】
2019178607.tif 000015
【図１４】
2019178607.tif 000016
【図１５】
2019178607.tif 000017
【図１６】
2019178607.tif 000018
【図１７】
2019178607.tif 000019
【図１８】
2019178607.tif 000020
【図１９】
2019178607.tif 000021
【図２０】
2019178607.tif 000022
【図２１】
2019178607.tif 000023
【図２２】
2019178607.tif 000024
【図２３】
2019178607.tif 000025
【図２４】
2019178607.tif 000026
【図２５】
2019178607.tif 000027
【図２６】
2019178607.tif 000028
【図２７】
2019178607.tif 000029
【図２８】
2019178607.tif 000030
【図２９】
2019178607.tif 000031